(57)【要約】      （修正有）【課題】コストをあまりかけずに簡単な方法で既存家屋の天井裏の温度を下げたり、床下の温度を上げたりする空調設備を提供する。【解決手段】既存家屋の屋外壁面に設けられる空調設備であって、空調設備は、空気を導入または排出するための開口部４、４’を両端に有する空気配送パイプ２と空気配送パイプ２の中間に設けられたブロワー３、３’からなり、空気配送パイプ２の片方の開口部４が既存家屋の床下１２内部に設置され、別の片方の開口部４’が既存家屋の天井裏１３内部に設置され、ブロワー３、３’を作動させることにより床下１２の開口部４から床下の空気を導入してパイプ２の中を通し、パイプ２の中を通ってきた空気を天井裏１３の開口部４’から天井裏１３の内部に排出するか、逆に天井裏１３の空気を床下１２に排出する。【選択図】図３
0003231845.tif 000002
【実用新案登録請求の範囲】
【請求項１】
既存家屋の屋外壁面に設けられる空調設備であって、
前記空調設備は、空気を導入または排出するための開口部を両端に有する空気配送パイプと前記空気配送パイプの中間に設けられたブロワーからなり、
前記空気配送パイプの片方の開口部が既存家屋の床下内部に設置され、別の片方の開口部が既存家屋の天井裏内部に設置され、
前記ブロワーを作動させることにより床下の開口部から床下の空気を導入してパイプの中を通し、前記パイプの中を通ってきた空気を天井裏の開口部から天井裏の内部に排出するか、
または、逆に前記ブロワーを作動させることにより天井裏の開口部から天井裏の空気を導入してパイプの中を通し、前記パイプの中を通ってきた空気を床下の開口部から床下の内部に排出することを特徴とする既存家屋の空調設備。
【請求項２】
前記空気を導入または排出するための開口部を片方に有する空気配送パイプユニット、ブロワーを内蔵する空気配送パイプユニット、およびパイプだけの空気配送パイプユニットを含むセットから構成され、既存家屋に取り付けられるときに連結して用いられる請求項１記載の既存家屋の空調設備。
【考案の詳細な説明】
【技術分野】
【０００１】
本考案は、既存家屋の空調設備に関するものであり、特に既存家屋の天井裏に床下の空気を直接吹き込み天井裏の空調を行うか、床下に天井裏の空気を直接吹き込み床下の空調を行う既存家屋の空調設備に関する。
【背景技術】
【０００２】
近年、地球温暖化により７月から９月の温度は厳しいものがある。このときの快晴時には気温が３５度を上回ることは珍しくなく時には４０℃を超える。直接太陽光を受ける家屋の屋根は６０℃ないし７０℃にもなり、屋根と天井の間である天井裏は４０℃以上になることも珍しくはない。このため、家屋の最上階である２階ないし３階で人が居住するには、エアコンをフル稼働させ、少なくとも３０℃以下まで冷却させる必要があり、電力を消耗することが著しい。
このことを考慮して、冷暖房の効率化、健康・衛生上の観点から家屋内に壁あるいはダクトを設けて家屋内の空気を循環して天井裏の温度を下げようとする工法が多く提案されている（たとえば、特許文献１ないし３）。また、既存家屋では天井裏の湿気や夏の密閉による温度上昇を避けるため換気ダクトを導入してこれらの問題を解消しようとすることが行われている。
【先行技術文献】
【特許文献】
【０００３】
【特許文献１】特開２０１７−１０６２８９号公報
【特許文献２】実開平３−４８６２４号公報
【特許文献３】登録実用第３０８４９６５号公報
【考案の概要】
【考案が解決しようとする課題】
【０００４】
しかしながら、家屋内に壁あるいはダクトを設置して空気を循環する工法は新築の設計時には採用できるが既存家屋には適用できないし、改造するには大変なコストがかかるという問題がある。また、既存家屋に換気ダクトを取り付ける方法では天井裏の温度は大して下がらず効果が小さいという問題がある。コストをあまりかけずに既存家屋の天井裏の温度を下げる方法が求められている。また、逆に冬場は床下が冷えるので暖かくしたいという要望もある。  
本考案は、コストをあまりかけずに簡単な方法で既存家屋の天井裏の温度を下げたり、床下の温度を上げたりする空調設備を提供することを目的とする。
【課題を解決するための手段】
【０００５】
考案者は、鋭意検討した結果、家屋の床下の空気を屋外壁面から直接天井裏に挿入できれば天井裏の温度がかなり下がり、逆に天井裏の空気を直接床下に挿入できれば床下の温度が上がることを見出し、本考案に至った。
すなわち本考案は、既存家屋の屋外壁面に設けられる空調設備であって、
前記空調設備は、空気を導入または排出するための開口部を両端に有する空気配送パイプと前記空気配送パイプの中間に設けられたブロワーからなり、
前記空気配送パイプの片方の開口部が既存家屋の床下内部に設置され、別の片方の開口部が既存家屋の天井裏内部に設置され、
前記ブロワーを作動させることにより床下の開口部から床下の空気を導入してパイプの中を通し、前記パイプの中を通ってきた空気を天井裏の開口部から天井裏の内部に排出するか、
または、逆に前記ブロワーを作動させることにより天井裏の開口部から天井裏の空気を導入してパイプの中を通し、前記パイプの中を通ってきた空気を床下の開口部から床下の内部に排出することを特徴とする既存家屋の空調設備
である。
【０００６】
また本考案は、前記空気を導入または排出するための開口部を片方に有する空気配送パイプユニット、ブロワーを内蔵する空気配送パイプユニット、およびパイプだけの空気配送パイプユニットを含むセットから構成され、既存家屋に取り付けられるときに連結して用いられる請求項１記載の既存家屋の空調設備である。
【考案の効果】
【０００７】
本考案の既存家屋の空調設備によれば、夏場の天井裏の温度を下げたり、冬場の床下の温度を上げたりすることができる。
すなわち、床下の空気を天井裏に直接吹き込むことにより、（１）夏の天井裏の温度上昇を緩和して、最上階の部屋の冷房費用を低減できると同時に、（２）床下には他の換気孔から外部の空気が入り込むため床下の湿気防止ができる。
逆に、天井裏の空気を床下に直接吹き込むことにより、（１）冬場の床下の温度低下を緩和して、床上の部屋の暖房費用を低減できる。
また、本考案の既存家屋の空調設備は、（３）既存家屋の屋外側面に簡単に取り付けられるし、（４）装置が簡単なため低コストである。
【図面の簡単な説明】
【０００８】
【図１】図１は、本考案の一実施態様である空調設備を示す概念的斜視図である。
【図２】図２は、本考案の一実施形態である各種ユニットからなるセット型の空調設備の斜視図である。
【図３】図３は、本考案の一実施態様である空調設備が既存家屋に設置された状態を示す概念的斜視図である。
【考案を実施するための形態】
【０００９】
以下、本考案の実施の形態を、図面に基づいて説明する。なお、本考案は、以下の実施の形態に限定されるものではない。本考案と同一および均等の範囲内において、以下の実施の形態に対して種々の変更を加えることが可能である。
【００１０】
ブロワーを作動させることにより床下の開口部から床下の空気を導入して天井裏に排出するのと、天井裏の開口部から天井裏の空気を導入して床下に排出するのは本考案の空調設備を逆に使用することであり、以下については、床下の開口部から床下の空気を導入して天井裏に排出する空調設備について記載するが、天井裏の開口部から天井裏の空気を導入して床下に排出する空調設備は逆の方向であるだけで前記の空調設備と構造面、使用面は同じであり、後記の空調設備の記載は省略するが、前記の前記の空調設備と逆に考えればよい。
【００１１】
図１は、本考案の一実施態様である空調設備を示す概念的斜視図である。空調設備１は、空気を導入または排出するための開口部を両端に有する空気配送パイプ（以下単にパイプという場合がある）２とパイプ２の中間に設置されたブロワー３からなる。
パイプ２は両側に開口部４、４’を有している。片方の開口部４は床下の内部に設置され床下空気の導入の役目をする。別の片方の開口部４’は天井裏の内部に挿入されパイプ２を流れてきた空気を排出する役目をする。パイプ２の中間にはブロワー３が予め設置され中にはファン５が内蔵されている。ブロワー３は図示されていないブロワー駆動部に接続され、ブロワー駆動部によりブロワー３が作動する。ブロワー３の中のファン５が回転すると片方の開口部４から空気を導入することができ別の片方の開口部４’から空気を排出する。
【００１２】
パイプは、通常家屋の外部で用いられる塩ビ、ポリエチレンなどのプラスチック製、ステンレスなどの金属製材料で製造された筒であり、硬くてもフレキシブルであってもよい。フレキシブルであれば取り付ける際に無理なく曲げて取りつけることができるので好ましい。パイプの形状は矩形状であっても円筒状であっても筒状であれば限定はなく、蛇腹状であってもよい。パイプの太さは特に限定はないが、換気孔を通過する太さであるのが好ましい。その太さであれば換気孔をパイプの挿入口として使用することができる。パイプの太さが換気孔より大きければ別の挿入口を作りパイプを挿入する必要がある。
パイプの長さも限定はなく、家屋の高さに応じて選択決定すればよい。
また、パイプは断熱性があるのが好ましいが、パイプの断熱性を上げるために断熱パイプカバーでパイプを覆ってもよい。このようなものとしては、たとえば、ポリエチレン製樹脂発泡シートなどが挙げられるが、従来この用途として使用されるものを用いることができる。
【００１３】
ブロワーも通常のブロワーが使用でき、パイプの内部でも外部でも設置できるが、パイプの内部に設置するのが効率的である。ブロワーの方向は一方向に固定されているタイプでもよいが、好ましくは床下方向でも天井裏方向にでも流れるように方向が任意に切り替え可能なタイプである。このタイプであると一つのブロワーで両方向に空気を送ることができ便利である。
また、ブロワーの方向を上記のように反転可能にしておけば、空気を導入または排出するパイプの開口部を床下または天井裏のどちらに取り付けても問題はない。
【００１４】
ブロワーの数はパイプ中に１個であっても２個以上の複数であってもよい。好ましくは２個以上である。２個以上であれば送風する空気の風量が増し効率的な空調ができる。ブロワーの数はパイプの長さや太さにより決めるのが好ましく、送風能力、経済面から特に好ましくは２個である。
開口部にフィルターを取り付けてもよい。フィルターはごみ・粉塵除去、臭気除去、湿気除去の役目を果たす。
【００１５】
本考案の空調設備は、空気を導入または排出する開口部を両端に有する空気配送パイプと空気配送パイプに空気を流すブロワーから構成される。しかし、パイプが長いと取り扱いにくくなる可能性がある。したがって、パイプを短いユニットにしておいて既存家屋に取り付けるときに連結して組み立てれば、取り扱いやすくなる。ユニットとしては、たとえば空気を導入または排出する開口部を片方に有する空気配送パイプユニット、ブロワーを内蔵する空気配送パイプユニット、パイプだけの空気配送パイプユニットなどを準備しておいて、これらを家屋に設置するときに連結すればよい。また、これらのパイプを既存家屋に固定する金具や器具などをセットに含めてもよい。パイプだけのものでも複数準備しておけば家屋の高さに応じてパイプをつなげば長さを調整できるので対応できる。
【００１６】
図２は、本考案の一実施形態である各種ユニットからなるセット型の空調設備の斜視図である。上段が空気を導入または排出する開口部４を有する空気配送パイプユニット６であり、下段がブロワー３を内蔵する空気配送パイプユニット７、中段が空洞８のパイプだけの空気配送パイプユニット９を示す。これらをさらに連結したユニットであってもよい。この図におけるユニットはソケット式であり中の空洞８は狭くなっているが、パイプの外側にソケットを形成すればパイプの太さは狭くならないようにすることができる。
【００１７】
各種類のパイプの連結方法は、従来パイプを繋ぐ方法で行うことができる。パイプの連結方法は、たとえば、図２に記載のソケット式、金具による方法、接着剤、溶接接合、ボルト接合などが挙げられるが限定はない。パイプの素材がプラスチックであればソケット式が簡単で好ましく、金属素材であれば溶接接合、ボルト接合が適用できる。  
【００１８】
図３は、本考案の一実施態様である空調設備が既存家屋に設置された状態を示す概念的斜視図である。
パイプ２が家屋の側面１０を下から上に向かって取り付けられている。下側にあるパイプ２’は換気孔１１から床下１２に入り開口部４は床下内部にある。上側のパイプ２”は天井裏１３の換気孔１１’から天井裏１３に入り開口部４’は天井裏１３の内部にある。パイプ２の開口部４’は天井裏１３の内部にあれば開口部４’の位置は特に限定はない。ブロワー３は下側の床下１２の近くに取り付けられている。ブロワー３は図示されていないブロワー駆動部に連結される。ブロワー３が作動することにより床下１２の空気が開口部４からパイプ２の中に入りパイプ２の実線矢印方向にパイプ２内を流れ天井裏１３に排出される。その結果天井裏１３の温度を下げることができる。
二つ目のブロワー３’が屋根側の換気孔１１’の近くに取り付けられている。ブロワー３’は図示されていないブロワー駆動部に連結される。二つ目のブロワー３’が作動することによりパイプ内の風量を増すことができるので、天井裏１３の温度をさらに効率的に下げることができる。
【００１９】
パイプは換気孔または特設の挿入口に差し込み、その位置で固定するのが好ましい。固定方法も限定はなく、ボルトなどの固定金具でとめることができる。
パイプは数か所で家屋に固定されるのが好ましい。パイプが固定されればパイプの先端は換気孔から内部に挿入され風雨のときでも安定する。固定する方法は挿入口と同じように特に限定はなく、たとえば、固定金具を使うのが簡単で好ましい。
パイプは家屋の側面に沿って配置されるので家屋内の工事はなく効率的であると同時にコスト低下につながる。
【００２０】
夏場は太陽光の影響を受け天井裏の温度が上昇する。床下の温度は低いので本考案の空調設備を用いて床下の空気を天井裏に直接送り込めば効率的に天井裏の温度を下げることができ、最上階の部屋の冷房費を低減することができる。
冬場は暖房機により暖められた空気は上に上がり天井裏の温度は比較的暖かくなる。本考案の空調設備を用いてその空気を床下に直接送り込めば効率的に床下の温度を上げることができる。その結果床下の上の部屋の温度も上がり暖房費の低減につながる。
【産業上の利用可能性】
【００２１】
本考案は、既存家屋の床下、天井裏の空調に適用される。
【符号の説明】
【００２２】
１  空調設備
２、２’、２”空気配送パイプ
３、３’  ブロワー
４、４’  開口部
５  ファン
６  空気を導入または排出する開口部を有する空気配送パイプユニット
７  ブロワーを内蔵する空気配送パイプユニット
８  空洞
９  空洞のパイプだけの空気配送パイプユニット
１０  家屋の側面
１１、１１’換気孔
１２  床下
１３  天井裏
【図１】
0003231845.tif 000003
【図２】
0003231845.tif 000004
【図３】
0003231845.tif 000005
【手続補正書】
【提出日】令和2年12月4日(2020.12.4)
【手続補正１】
【補正対象書類名】図面
【補正対象項目名】図３
【補正方法】変更
【補正の内容】
【図３】
0003231845.tif 000006